(57)【要約】【課題】ＡＭラジオ放送受信への影響を低減したＰＤＰ装置の実現。【解決手段】複数の第１及び第２の電極を有し、第１と第２の電極間にサステインパルスを印加して表示を行うプラズマディスプレイパネル１１を備え、サステインパルスの周期を変化させるプラズマディスプレイ装置であって、サステインパルスの周期は、サステインパルス及びその高調波の周期が電波受信機の受信周期を避けるように設定される。【選択図】      図２
2004157233.tif 000002
【特許請求の範囲】
【請求項１】
複数の第１及び第２の電極を有し、前記第１と第２の電極間にサステインパルスを印加して表示を行うプラズマディスプレイパネルを備え、前記サステインパルスの周期を変化させるプラズマディスプレイ装置であって、
前記サステインパルスの周期は、前記サステインパルス及びその高調波の周期が電波受信機の受信周期を避けるように設定されることを特徴とするプラズマディスプレイ装置。
【請求項２】
前記サステインパルスの周期は、前記サステインパルス及びその高調波の周期が、前記電波受信機の受信周波数を含む所定の周波数範囲を逆数で表した所定周期範囲を避けるように設定される請求項１に記載のプラズマディスプレイ装置。
【請求項３】
当該プラズマディスプレイ装置は、サブフィールド法を用いて階調表示を行う請求項１に記載のプラズマディスプレイ装置。
【請求項４】
表示負荷率に応じて前記サステインパルスの周期を変化させる場合に、前記サステインパルス及びその高調波の周期が前記電波受信機の受信周期を避けるように設定するためのサステインパルス周期情報を記憶したサステインパルス周期記憶手段と、
サブフィールド毎の表示負荷率を検出し、検出した負荷率と前記サステインパルス周期情報とから前記サステインパルスの周期を決定するサステインパルス周期決定手段とを備える請求項３に記載のプラズマディスプレイ装置。
【請求項５】
前記電波受信機の受信周波数を記憶する受信周波数記憶手段と、
負荷率に応じて前記サステインパルスの周期を変化させる場合の周期変化関係を記憶するサステインパルス周期変化記憶手段と、
前記サステインパルスの周期を変化させる場合に、前記電波受信機の受信周波数と前記周期変化関係から、前記サステインパルス及びその高調波の周期が前記電波受信機の受信周期を避けるように設定するためのサステインパルス周期情報を生成するサステインパルス周期情報生成手段と、
サブフィールド毎の表示負荷率を検出し、検出した負荷率と前記サステインパルス周期情報とから前記サステインパルスの周期を決定するサステインパルス周期決定手段とを備える請求項３に記載のプラズマディスプレイ装置。
【請求項６】
前記受信周波数記憶手段は、電気的に書き換え可能なメモリを有し、
前記受信周波数記憶手段の記憶する前記電波受信機の受信周波数が書き換え可能である請求項５に記載のプラズマディスプレイ装置。
【請求項７】
前記受信周波数記憶手段は、前記電波受信機の複数の受信周波数の組みを記憶しており、
前記受信周波数記憶手段に記憶された複数の前記電波受信機の受信周波数の１組が選択される請求項６に記載のプラズマディスプレイ装置。
【請求項８】
前記複数の電波受信機の受信周波数の組みは、地域毎の前記電波受信機の受信周波数の組みである請求項７に記載のプラズマディスプレイ装置。
【請求項９】
前記受信周波数記憶手段の記憶する前記電波受信機の受信周波数が書き換えは、外部からの通信制御により行われる請求項６に記載のプラズマディスプレイ装置。
【請求項１０】
複数の第１及び第２の電極を有し、前記第１と第２の電極間にサステインパルスを印加して表示を行うプラズマディスプレイパネルを備え、前記サステインパルスの周期を変化させるプラズマディスプレイ装置であって、
電波受信機の受信周波数を記憶する受信周波数記憶手段を有し、
前記サステインパルスの周期は、前記受信周波数記憶手段に記憶された受信周波数を参照して設定されることを特徴とするプラズマディスプレイ装置。
【発明の詳細な説明】
【０００１】
【発明の属する技術分野】
本発明はプラズマディスプレイ装置（ＰＤＰ装置）に関し、特に電極間にサステインパルスを印加して表示を行うプラズマディスプレイパネルを有し、サステインパルスの周期を変化させるＰＤＰ装置に関する。
【０００２】
【従来の技術】
平面ディスプレイとしてプラズマディスプレイ装置（ＰＤＰ）装置が実用化されており、高輝度の薄型ディスプレイとして広く使用されるようになっている。各種の方式のＰＤＰ装置が提案されているが、ここでは３電極ＡＣ駆動方式のＰＤＰ装置を例として以下の説明を行う。３電極ＡＣ駆動方式のＰＤＰ装置は、現在もっとも広く使用されているものであり、ここでは詳しい説明を省略する。なお、本発明はこれに限定されるものではなく、サステインパルスの周期を変えるＰＤＰ装置であれば、どのようなものにも適用可能である。以下、本発明に直接関係するＰＤＰ装置の構成について簡単に説明する。
【０００３】
ＰＤＰ装置では、各表示セルを点灯するか点灯しないかの制御が行えるだけであるため、階調表示を行う場合には、１表示フィールドを複数のサブフィールドで構成し、各セル毎に点灯するサブフィールドを組み合わせて表示を行う。各サブフィールドは、少なくとも表示セルを選択するアドレス期間と、選択したセルを点灯するサステイン期間とを有する。アドレス期間には、第１の電極（共通電極）に所定の電圧を印加した状態で、第２の電極（走査電極）に順次走査パルスを印加し、走査パルスに同期して点灯・非点灯状態を選択するアドレスパルスをアドレス電極に印加してアドレス放電を発生する。サステイン期間には、第１と第２の電極（合わせてサステイン電極）間にサステインパルスが交互に印加されて、点灯状態を選択されたセルでサステイン放電が発生する。この場合、サステインパルスの個数で表示輝度が決定される。サステインパルスの周期が一定であれば、サステイン期間の長さで輝度が決定されることになる。
【０００４】
もっとも一般的なサブフィールドの構成は、各サブフィールドのサステイン期間の長さ、すなわち輝度比を２の累乗とするものであり、この構成がサブフィールド数と表示可能な階調数の関係でもっとも効率がよい。しかし、近年は色偽輪郭などを低減するために各種のサブフィールドの構成が提案されており、本発明はどのようなサブフィールドの構成にも適用可能である。
【０００５】
ＰＤＰ装置では、全画面中の点灯セルの割合（表示負荷率）が大きいと大きなサステイン電流が流れることになり、サステインパルスの実行電圧が低下して輝度が低下する。サブフィールド法を行う場合、サブフィールド毎の表示負荷率が異なるために、各サブフィールドの輝度比が所定の関係からずれて正常な階調表示が行えないという問題を生じる。特開平９−１８５３４３号公報は、このような問題を解決するため、各サブフィールドの表示負荷率を検出して輝度比を維持するように各サブフィールドのサステインパルス数を補正する構成を開示している。
【０００６】
更に、ＰＤＰ装置の問題として、ブラウン管に比べてピーク輝度が劣ることと、消費電力が大きいことが挙げられる。そのため、映像全体の輝度が高い時には各サブフィールドのサステインパルス数を減少させて全体的に低輝度の映像を表示し、映像全体の輝度が低い時には各サブフィールドのサステインパルス数を増加させて一部分は高輝度の映像を表示する電力制御が行われている。特開２０００−３２２０２５号公報は、このような電力制御の１つの方法として、１画面全体の平均的な輝度レベルを検出して、輝度レベルが所定値未満の時にはサステインパルス周期を段階的に短くする構成を開示している。このような構成により、全体的に暗い映像の時にはピーク輝度が向上する。
【０００７】
サステインパルス周期を短くした場合、サステインパルスの波形の鈍りの影響が相対的に大きくなり、所定のサステイン電圧が印加されない場合が起きる。特に、表示負荷率が大きくなるとサステイン電流が増加し、その分電圧降下が大きくなり実際に印加される実効電圧が低下する。図１は、サステインパルス周期が６μｓ、８μｓ及び１０μｓの場合に、表示負荷率に対する所定の電圧のサステインパルスを印加した時の実効サステイン電圧の関係を示した図である。実効サステイン電圧が低下するとサステイン放電が発生しなくなる場合があり、途中で放電が停止して点灯ミスのセルが発生したり、正常な輝度で発光しなくなるなどの問題を生じる。特開２０００−３２２０２５号公報に開示された構成では、輝度レベルが低い時、すなわち表示負荷率が小さい時にはサステインパルス周期を短くしており、図１の破線Ａで示したようにサステインパルス周期を変化させる制御を行うことになる。
【０００８】
しかし、サブフィールド法により階調表現を行う場合に実際に問題になるのは各サブフィールドにおける表示負荷率である。例えば、輝度比の小さなサブフィールドの表示負荷率が大きい場合、１画面全体の平均的な輝度レベル（表示負荷率）は小さくなり、特開２０００−３２２０２５号公報の構成によれば、サステインパルス周期を短くすることになる。従って、輝度比の小さな表示負荷率は大きなサブフィールドでもサステインパルスを短くすることになり、点灯ミスのセルが発生するなどの問題を生じる。このように、負荷率に応じてサステインパルス周期を変化させる場合には、サブフィールド毎に負荷率を検出してサブフィールド毎にサステインパルス周期を変化させる必要がある。本出願人は、特願２０００−２０９９５０号で、サブフィールド毎に負荷率を検出してサブフィールド毎にサステインパルス周期を段階的に変化させる構成を開示している。
【０００９】
以上のように、ＰＤＰ装置ではサステインパルス周期を変化させる場合がある。
【００１０】
【特許文献１】
特開平９−１８５３４３号公報  （全体）
【特許文献２】
特開２０００−３２２０２５号公報  （全体）
【００１１】
【発明が解決しようとする課題】
上記のように、ＰＤＰ装置では、サステイン電極間にサステインパルスを印加してサステイン放電を繰返し行って蛍光体を発光させるが、サステインパルスは１５０Ｖ以上の大きな電圧で１５０ｋＨｚ程度の周波数のパルスであり、サステインパルス周期を基本波とした電磁波を発生させる。特に、高い発光輝度を得るためにサステインパルス数を増加させると放電電流も大きくなって、発生する電磁波の強度も増加する。サステインパルスの高次の電磁波は、例えばＡＭラジオ放送の周波数に関係するため、振幅変調された電波と干渉し、ラジオ受信機がラジオ放送を正常に復調できなくなり、受信ノイズを発生させるという問題がある。
【００１２】
ＰＤＰ装置では、これまでも電磁放射を低減するための各種の対策が施されてきたが、対策は電磁放射全体を低減するもので、ＡＭラジオ放送等の電波受信を行う受信機に対する影響については特に考慮されていなかった。もちろん、電磁放射全体を低減することは重要であるが、影響を受ける対象が明確であれば、それに対する対策を充実することが望ましく、それにより電磁放射対策のコストも低減できることになる。
【００１３】
本発明は、電波受信機の受信への影響を低減したＰＤＰ装置を実現することを目的とする。
【００１４】
【課題を解決するための手段】
上記目的を実現するため、本発明のＰＤＰ装置は、サステインパルス周期を変化させる場合に、サステインパルスの周期を、サステインパルス及びその高調波の周期がラジオ受信信号の周期を避けるように設定することを特徴とする。サステインパルス周期を変化させる場合、段階的に変化させても、小さなスッテプで変化させて実質的に連続的に変化すると見なせるようにしてもよい。
【００１５】
本発明によれば、ＰＤＰ装置においてサステインパルス周期を変化させる場合にも、サステインパルスと電波受信信号の間では干渉を生じない。
【００１６】
例えば、サステインパルスの周期は、サステインパルス及びその高調波の周期が、電波受信信号の周波数を含む所定の周波数範囲を逆数で表した所定周期範囲を避けるように設定される。具体的には、サステインパルス周期Ｔｐのｍ倍の高調波の周期Ｔｐ／ｍが放送周波数ｆｑの±ｉ以内の範囲１／ｆｑ×（１±ｉ）に入らないように設定し、ｉは例えば０．００５以上である。また、ｉはｍが奇数と偶数の場合で異なってもよい。
【００１７】
ＰＤＰ装置は、サブフィールド法を用いて階調表示を行うが、本発明はこれに限定されず、階調表示を行わず、サステイン周期を変化させて輝度調整を行うＰＤＰ装置などにも適用可能である。
【００１８】
サブフィールド法を用いて階調表示を行うＰＤＰ装置であれば、表示負荷率に応じてサステインパルス周期を変化させる場合に、サステインパルス及びその高調波の周期が電波受信信号の周期を避けるようにサステインパルスの周期を変化させるためのサステインパルス周期情報を記憶したサステインパルス周期記憶手段と、サブフィールド毎の表示負荷率を検出し、検出した負荷率とサステインパルス周期情報とからサステインパルスの周期を決定するサステインパルス周期決定手段とを備えるように構成する。
【００１９】
また、サブフィールド法を用いて階調表示を行うＰＤＰ装置の別の態様としては、電波受信信号の周波数を記憶する受信周波数記憶手段と、負荷率に応じてサステインパルスの周期を変化させる場合の周期変化関係を記憶するサステインパルス周期変化記憶手段と、電波受信信号の周波数と周期変化関係から、サステインパルス及びその高調波の周期が電波受信信号の周期を避けるようにサステインパルスの周期を変化させるためのサステインパルス周期情報を生成するサステインパルス周期情報生成手段と、サブフィールド毎の表示負荷率を検出し、検出した負荷率とサステインパルス周期情報とからサステインパルスの周期を決定するサステインパルス周期決定手段とを備えるように構成する。
【００２０】
上記の受信周波数記憶手段を、例えば、電気的に書き換え可能なメモリで構成し、受信周波数記憶手段の記憶する電波受信信号の周波数が書き換え可能であるように構成すれば、各種の電波受信信号に対応できるようになる。
【００２１】
電波受信機の受信周波数は地域毎に決められているので、あらかじめ地域毎のラジオ受信信号の周波数の組みを受信周波数記憶手段に記憶しておき、ＰＤＰ装置が設置される地域に応じてラジオ受信信号の周波数の組みを選択して使用すれば、どのような地域にも対応できるようになる。
【００２２】
受信周波数記憶手段の記憶する電波受信機の受信周波数の書き換えは、外部からの通信制御により行うことも可能である。
【００２３】
【発明の実施の形態】
図２は、本発明の第１実施例のＰＤＰ装置の概略構成を示すブロック構成図である。図示のように、このＰＤＰ装置は、プラズマディスプレイパネル１１と、パネル１１のアドレス電極を駆動する信号を出力するアドレス電極駆動回路１２と、スキャン電極（第２電極）に順次印加するスキャンパルス、及びリセットパルスとサスティンパルスを出力するスキャン電極駆動回路１３と、サステイン電極（第１電極）に印加するリセットパルスとサスティンパルスを出力するサスティン電極駆動回路１４と、映像入力信号をディザや誤差拡散などの処理により映像信号の階調数を調整する表示階調調整回路２２と、調整された映像デジタル信号を展開して各セルを階調表示するための点灯サブフィールドの組み合わせを決定する映像信号ＳＦ対応付け回路２３と、サブフィールド表示のための駆動信号を発生するＳＦ処理回路２４とを有し、ＳＦ処理回路２４からアドレス電極駆動回路１２とスキャン電極駆動回路１３とサスティン電極駆動回路１４に駆動信号が供給される。以上の構成は、従来技術のＰＤＰ装置と同じである。従って、駆動波形などの詳細についてはここでは説明を省略する。
【００２４】
第１実施例のＰＤＰ装置は、表示負荷率に応じてサステインパルス周期を変化させる場合に、サステインパルス及びその高調波の周期がラジオ受信信号の周期を避けるようにサステインパルスの周期を変化させるためのサステインパルス周期情報を記憶したサステインパルス周期記憶回路２５と、電力などの関係から総サステインパルス数を決定する輝度制御回路２６と、各サブフィールドの表示負荷率を検出するＳＦ負荷率検出回路２７と、検出した各サブフィールドの表示負荷率に応じてサステインパルス周期記憶回路２５に記憶されたサステインパルス周期情報を読み出し、各サブフィールドのサスティンパルス周期Ｈ（ＳＦ）を決定するサスティン周期決定回路２８と、決定されたサスティンパルス周期Ｈ（ＳＦ）から規定時間内に配置できる総サステインパルス数を求め、これを輝度制御回路２６からの総サステインパルス数と比較して小さい方の値を総サステインパルス数として決定する総サステインパルス数決定回路２９と、各サブフィールドのサステインパルス数比と総サステインパルス数とから各サブフィールドへのサステインパルス数の振り分けを行うＳＦサステインパルス数演算回路３０と、を有する。
【００２５】
図３は、本実施例におけるサブフィールド構成を示す図である。図示のように、１表示フレームは６個のサブフィールドから構成され、各サブフィールドは図４に示すような輝度比、すなわち、各サブフィールドのサステイン期間（図３で斜線で示す期間）の長さは順に２の累乗の比になっている。各サブフィールドのサステインパルス数は、その負荷状態に応じてその個数が調整される。例えば、負荷が小さい時には個数を減少させ、負荷が大きい時には個数を増加させる。ａ，ｂ，ｃ，ｄ，ｅ，ｆはこの調整の係数であり、これらの係数を輝度比に乗じてサステインパルス数比Ｗ（ＳＦ）が決定される。
【００２６】
図５は、サステインパルス周期記憶回路２５に記憶されたサステインパルス周期情報を示す図である。サステインパルス周期情報は、各サブフィールドの表示負荷率（ＳＦ負荷率）に応じてサステインパルス周期を変化させる場合の関係を示す情報であり、図示のように、サステインパルス及びその高調波の周期がラジオ受信信号の周期を避けるようにサステインパルスの周期が決められている。図５は、ラジオ周波数が８００ｋＨｚと１０００ｋＨｚの場合を示す。
【００２７】
図５に示すように、ＳＦ負荷率が０パーセントの時にはサステインパルスの周期を６μｓ、１００パーセントの時にはサステインパルスの周期を１０μｓとなるように、サステインパルスの周期をＳＦ負荷率に応じて線型に変化させ、サステインパルスの高調波が８００ｋＨｚと１０００ｋＨｚと一致する部分では周期をスキップさせるように変化させる。
【００２８】
図６は、このスキップ部分の詳細を示す図である。図示のように、サステインパルスの周期Ｔｐのｍ倍の高調波が放送周波数ｆｑと一致する時、Ｔｐのｍ倍の高調波の周期がｆｑの±ｉ以内にならないように、図でｘ、ｙ、ｚで示す３の変化経路を通って変化する。従って、サステインパルスの周期Ｔｐは、ｍ／ｆｑ×（ｉ＋１）からｍ／ｆｑ×（ｉ−１）までスキップするように変化する。なお、ｉの値は受信設備の性能に左右されるため、少なくとも０．００５以上という値に設定される。また、高調波は奇数の場合は高調波が偶数の場合より受信障害が発生しやすいため、ｍが奇数の場合のｉはｍが偶数の場合のｉより大きな値に設定することも可能である。
【００２９】
サスティン周期決定回路２８は、図５のサステインパルス周期情報から、ＳＦ負荷率検出回路２７の検出した各サブフィールドの表示負荷率に応じて各サブフィールドのサスティンパルス周期Ｈ（ＳＦ）を決定する。なお、サスティンパルス周期Ｈ（ＳＦ）は、連続的に変化させてもよいが、変化ステップを小さくして近似的に連続して変化すると見なせるようにしてもよい。
【００３０】
総サステインパルス数決定回路２９は、上記のようにして決定した各サブフィールドのサスティンパルス数比Ｗ（ＳＦ）及びサスティンパルス周期Ｈ（ＳＦ）を使用して、次の式１に従って総サステインパルス数を求める。
【００３１】
【数１】
2004157233.tif 000003
【００３２】
この式の詳しい説明は省略するが、分母の全サブフィールドのＷ（ＳＦ）とＨ（ＳＦ）を乗じた値の和は、第１サブフィールドのサステインパルスが１個の場合の全サブフィールドのサステイン時間の合計、すなわち全サブフィールドのサステイン時間の最低単位時間であり、サブフィールド間の輝度比を維持しながらサステインパルス数を変化させるには、この単位時間ずつサステイン時間を変化させる必要がある。全サブフィールドのサステイン期間に割り当てられる時間をこの単位時間で除すれば配置できる単位数が求まるので、これにＷ（ＳＦ）の全サブフィールドの和を乗ずれば総サステインパルス数が求まる。
【００３３】
一方、輝度制御回路は、電力などの関係から総サステインパルス数を決定しており、この値を超えることはできないので、この値と式１で求めた値のどちらか小さい方の値を総サステインパルス数として決定する。
【００３４】
図７は、本発明の第２実施例のＰＤＰ装置の概略構成を示すブロック構成図である。図２と比較して明らかなように、第１実施例のＰＤＰ装置とはサステインパルス周期情報記憶回路２５の替わりに、サステイン周期情報記憶回路３１と受信周波数記憶回路３２とサステイン周期生成回路３３が設けられている点が異なる。
【００３５】
受信周波数記憶回路３２は、ＥＥＰＲＯＭやフラッシュメモリなどの電気的に書き換え可能なメモリで構成されており、対象となるラジオ放送の受信周波数を記憶している。記憶内容は、外部からの通信制御により書き換え可能である。
【００３６】
サステイン周期情報記憶回路３１は、負荷率に応じてサステインパルスの周期を決定する情報を記憶している。この情報は、例えば図８に示すようなグラフであり、第１実施例と同様に、ＳＦ負荷率が０パーセントの時にはサステインパルスの周期を６μｓ、１００パーセントの時にはサステインパルスの周期を１０μｓとなるように、サステインパルスの周期をＳＦ負荷率に応じて線型に変化させる関係である。
【００３７】
サステイン周期生成回路３３は、図９に示すようなサステインパルス周期に対応させてその高調波周波数を記憶した読み取り表を記憶している。そして、読み取り表と図８のサステイン周期情報から、サステインパルス周期を変化させる場合の設定を禁止するサステインパルス周期を求める。すなわち、図５のようなサステインパルス周期情報を求めて、サステイン周期決定回路２８に出力する。他は第１実施例と同じである。
【００３８】
図１０は、サステイン周期生成回路３３が、図９の読み取り表から、設定を禁止するサステインパルス周期を求める処理を示すフローチャートである。ステップ１０１と１０２は、受信周波数をサーチする処理であり、ステップ１０２で受信周波数のサーチが終了したかを判定し、終了した場合には終了するが、終了していなければステップ１０３に進む。
【００３９】
ステップ１０３では、受信周波数記憶回路３２に記憶された受信周波数をｆｑとして設定する。ステップ１０４では、図６で説明したように、設定を禁止する範囲の下限周波数ｆｍｉｎ＝ｆｑ×（１−ｉ）と上限周波数ｆｍａｘ＝ｆｑ×（１＋ｉ）を設定する。
【００４０】
ステップ１０５と１０６は、図９のサステインパルス周期を順にサーチする処理である。ステップ１０６では、サーチが完了したか確認し、サーチが完了していればステップ１０１に戻る。サーチが完了していなければ、ステップ１０７に進む。
【００４１】
ステップ１０７と１０８は、図９のサステインパルス周期を順にＴｐとして設定し、Ｔｐの高調波周波数を順にサーチする処理である。ステップ１０９では、サーチが完了したか確認し、サーチが完了していればステップ１０５に戻る。サーチが完了していなければ、ステップ１１０に進む。
【００４２】
ステップ１１０では、高調波周波数がｆｍｉｎとｆｍａｘの間の範囲に入るか調べ、入らなければステップ１０８に戻り、入る場合にはステップ１１１でＴｐは設定禁止にする。
【００４３】
以上のような処理を繰り返すことにより、図５のようなグラフが得られる。
【００４４】
なお、第２実施例では、受信周波数記憶回路３２のメモリをＥＥＰＲＯＭやフラッシュメモリなどの電気的に書き換え可能な不揮発性メモリで構成しているので、ＰＤＰ装置の設置時に一度だけ通信制御によりメモリに対象となるラジオ放送の受信周波数を記憶すればよい。このメモリを電気的に書き換え可能なＲＡＭなどで構成した場合には、ＰＤＰ装置をパワーオンする度に通信制御によりメモリに受信周波数を記憶させる必要がある。いずれにしても、仕向け地に応じて対象となるラジオ放送の受信周波数を書き換えることができるので、地域特有の受信周波数に対して受信ノイズを低減することができる。
【００４５】
図１１は、本発明の第３実施例のＰＤＰ装置の概略構成を示すブロック構成図である。
【００４６】
第３実施例のＰＤＰ装置は、第２実施例のＰＤＰ装置と同じ構成のパネルモジュール１０と、映像処理回路４１と、地域情報記憶回路４２と、主制御回路４３と、受信周波数決定回路４４と、リモコン４５からの信号を受けるリモコン受信部４６とを有する。映像処理回路４１は、映像信号に対して各種の処理を施す。地域情報記憶回路４２は、図１２に示すような地域コードに対応させた複数組みのラジオ放送の周波数を記憶している。主制御回路４３は、リモコン４５からの信号又は通信信号により地域コードを検出したら、それを受信周波数決定回路４４に送る。受信周波数決定回路４４は、図１２の地域情報からその地域のラジオ放送の周波数を読み出し、パネルモジュール１０の受信周波数記憶回路３２に送る。後は第２実施例と同じである。
【００４７】
以上、サブフィールド毎の表示負荷率を検出して各サブフィールドのサステインパルス周波数を変化させる例を説明したが、本発明はこれに限定されるものではなく、サステインパルス周波数を変化させる場合であれば適用可能であり、例えば、画面全体の明るさの平均値に応じてサステインパルス周波数を変化させる場合にも適用可能である。
【００４８】
以上の説明はラジオ受信機について述べてきたが、本実施例では、ある特定の受信周波数を持つ電波受信機に対しても適用可能である。
【００４９】
【発明の効果】
以上説明したように、本発明によれば、サステインパルスによる高調波が電波受信機の周波数を避けるように設定されるので、ＰＤＰ装置の電磁放射が電波受信機の受信に影響せず、ＰＤＰ装置の近傍に電波受信機を設置した場合でも良好な状態で受信できる。特に、ＰＤＰ装置で、各サブフィールド毎の表示負荷率に応じてサステインパルス周波数を変化させることにより安定に良好な表示が行えるようにする場合でも、電波受信機の受信への影響を低減できるという効果を奏する。
【図面の簡単な説明】
【図１】サステインパルス周期に応じた表示負荷率と実効サステイン電圧の関係を示す図である。
【図２】本発明の第１実施例のＰＤＰ装置の概略構成を示すブロック構成図である。
【図３】実施例におけるサブフィールド構成を示す図である。
【図４】第１の実施例におけるサブフィールドの輝度比を示す図である。
【図５】第１の実施例においてサブフィールド毎の表示負荷率に応じてサステインパルス周期を変化させる場合の表示負荷率とサステインパルス周期の関係を示す図である。
【図６】図５のステップ部分の詳細を示す図である。
【図７】本発明の第２実施例のＰＤＰ装置の概略構成を示すブロック構成図である。
【図８】第２実施例においてサブフィールド毎の表示負荷率に応じてサステインパルス周期を変化させる場合の関係を示す図である。
【図９】第２実施例におけるサステインパルス周期と高調波周波数の読み取り表を示す図である。
【図１０】第２実施例において、設定禁止とするサステインパルス周期を求める処理を示すフローチャートである。
【図１１】本発明の第３実施例のＰＤＰ装置の概略構成を示すブロック構成図である。
【図１２】第３実施例における地域情報の例を示す図である。
【符号の説明】
１１…プラズマディスプレイパネル
１２…アドレス電極駆動回路
１３…走査電極駆動回路
１４…サステイン電極駆動回路
２５…サステインパルス情報記憶回路
２７…ＳＦ負荷率検出回路
２８…サステインパルス周期決定回路
２９…総サステインパルス数決定回路
【図１】
2004157233.tif 000004
【図２】
2004157233.tif 000005
【図３】
2004157233.tif 000006
【図４】
2004157233.tif 000007
【図５】
2004157233.tif 000008
【図６】
2004157233.tif 000009
【図７】
2004157233.tif 000010
【図８】
2004157233.tif 000011
【図９】
2004157233.tif 000012
【図１０】
2004157233.tif 000013
【図１１】
2004157233.tif 000014
【図１２】
2004157233.tif 000015